(57)【要約】【課題】駆動プーリを回転させた際に駆動プーリの突起と図柄ベルトの係合孔とが順次係合・分離するよう構成した図柄表示装置において、図柄のための領域の幅を広くすること。【解決手段】センサ２７によって検出される係合孔２２とセンサ２８によって検出される光透過部２９とが図柄ベルト５の同じ下縁部に設けられ、上縁部には穴を設ける必要がないから、その分だけ図柄のための領域の幅を広くできる。また、図柄ベルト５に設けられる穴は係合孔２２だけであるから、穴の数が多くなるのを回避でき、図柄ベルト５の強度の低下も、穴の周囲における図柄ベルト５の変形の可能性が高まるのも回避できる。【選択図】図３
2009028322.tif 000002
【特許請求の範囲】
【請求項１】
駆動源となるモータと、
周方向に沿って等ピッチで配された複数の突起が一方の端部に設けられ、前記モータによって回転駆動される駆動プーリと、
回転の軸を前記駆動プーリと平行にして配置される従動プーリと、
複数の図柄が描かれており、一方の縁部には前記駆動プーリの前記突起のピッチに対応して等間隔で配される複数の係合孔が全周に亘って設けられ、一部の前記係合孔を前記突起に係合させて前記駆動プーリ及び従動プーリの外周に展張状態で巻装される無端の図柄ベルトとを備え、
前記駆動プーリを回転させた際に、前記突起と前記係合孔とが順次係合・分離するよう構成した
図柄表示装置において、
前記図柄ベルトの前記係合孔が配されている帯状の領域内又は該帯状の領域に隣接する位置に原点検出用の光透過部を１箇所設け、
対置された第１の発光素子と第１の受光素子とを備えて、前記図柄ベルトの前記帯状の領域が前記第１の発光素子と第１の受光素子との間を通過する位置に配される係合孔検出センサと、
対置された第２の発光素子と第２の受光素子とを備えて、前記光透過部が前記第２の発光素子と第２の受光素子との間を通過する位置に配された光透過部検出センサと
を備えたことを特徴とする図柄表示装置。
【請求項２】
前記光透過部は前記帯状の領域内に設けられ、
光透過部検出センサは、特定の１つの前記係合孔が前記係合孔検出センサによって検出されるときに前記光透過部を検出する位置に配されている
ことを特徴とする請求項１記載の図柄表示装置。
【請求項３】
前記光透過部は透明なスポットであることを特徴とする請求項１又は２記載の図柄表示装置。
【請求項４】
前記光透過部は開口であることを特徴とする請求項１又は２記載の図柄表示装置。
【発明の詳細な説明】
【技術分野】
【０００１】
本発明は、遊技機の技術分野に属する。
【背景技術】
【０００２】
複数の図柄が描かれている無端の図柄ベルトを駆動プーリ及び従動プーリの外周に展張状態で巻装し、モータにて駆動プーリを回転駆動することで図柄を変動表示し、モータの停止に伴って図柄を停止表示する図柄表示装置があり、例えばパチンコ機などの弾球遊技機やスロットマシン（回胴式遊技機）に装備されている。
【０００３】
このように駆動プーリによって図柄ベルトを回動させる形式の図柄表示装置では、例えば加減速に際して駆動プーリと図柄ベルトとの間にスリップが発生するおそれがある。
そのため、駆動プーリの端部に複数の突起を設け、図柄ベルトには、これらの突起に対応させて複数の係合孔を設けて、駆動プーリを回転させた際に、突起と係合孔とが順次係合・分離するよう構成してスリップの発生を防止する技術が提案されている（特開２００４−３３６３３号公報）。
【特許文献１】特開２００４−３３６３３号公報
【発明の開示】
【発明が解決しようとする課題】
【０００４】
特許文献１の図柄表示装置では、各図柄に対応した数の位置検出用孔部（それらの１つは他の孔部よりベルトの走行方向に長い長孔の位置基準孔部）を図柄ベルトの下端縁近傍に穿設し、位置基準孔部が２つの位置検出手段にて検出されると基準となる図柄の位置を、その後に一方の位置検出手段により位置検出用孔部が検出される毎に、対応する図柄の位置を認識する構成としている（[００２５]
、[００３３]
）。一方、駆動プーリの突起に係脱する係合孔は図柄ベルトの上端部近傍に形成し、係合孔が位置検出手段により誤検出されるのを防止している（[００３３]
）。つまり、図柄ベルトの一方の縁部（下端縁）に位置検出用孔部を、他方の縁部（上端縁）に係合孔を設けている。
【０００５】
このように構成すると、両縁部に穴（位置検出用孔部、係合孔）が存在するので、その分だけ図柄のための領域の幅が狭まるという問題がある。また、図柄ベルトに設けられる穴の数が多ければ、それだけ強度が低下し、穴の周囲におけるベルトの変形の可能性も高まるという問題もある。
【課題を解決するための手段】
【０００６】
請求項１記載の図柄表示装置は、
駆動源となるモータと、周方向に沿って等ピッチで配された複数の突起が一方の端部に設けられ、前記モータによって回転駆動される駆動プーリと、回転の軸を前記駆動プーリと平行にして配置される従動プーリと、複数の図柄が描かれており、一方の縁部には前記駆動プーリの前記突起のピッチに対応して等間隔で配される複数の係合孔が全周に亘って設けられ、一部の前記係合孔を前記突起に係合させて前記駆動プーリ及び従動プーリの外周に展張状態で巻装される無端の図柄ベルトとを備え、前記駆動プーリを回転させた際に、前記突起と前記係合孔とが順次係合・分離するよう構成した図柄表示装置において、
前記図柄ベルトの前記係合孔が配されている帯状の領域内又は該帯状の領域に隣接する位置に原点検出用の光透過部を１箇所設け、
対置された第１の発光素子と第１の受光素子とを備えて、前記図柄ベルトの前記帯状の領域が前記第１の発光素子と第１の受光素子との間を通過する位置に配される係合孔検出センサと、
対置された第２の発光素子と第２の受光素子とを備えて、前記光透過部が前記第２の発光素子と第２の受光素子との間を通過する位置に配された光透過部検出センサと
を備えたことを特徴とする。
【０００７】
請求項１記載の図柄表示装置では、図柄ベルトの係合孔が配されている帯状の領域（この帯状の領域は、図柄ベルトを回動させたときの係合孔の軌道域と重なり合う領域である。）内又はこの帯状の領域に隣接する位置に原点検出用の光透過部が１箇所設けられている。
【０００８】
光透過部は、光（可視光でもよいし、赤外線、紫外線等でもよい）を透過させる部分であり、請求項３記載の透明なスポットや、請求項４記載の開口（穴又は切欠）とされる。
係合孔検出センサは、対置された第１の発光素子と第１の受光素子とを備えていて、第１の発光素子からの光が第１の受光素子へ入射したときとその光が遮断されたときとで出力信号のレベルを変化させる構成である。従って、図柄ベルトの地の部分（少なくとも係合孔が配されている帯状の領域）は、第１の発光素子からの光を遮断するために不透明にしておくことで、図柄ベルトの回動に伴って係合孔が第１の発光素子と第１の受光素子との間を通過すると係合孔検出センサの信号レベルが変化する。すなわち、係合孔を検出する。
【０００９】
光透過部を検出するための光透過部検出センサも、係合孔検出センサと同様に、対置された第２の発光素子と第２の受光素子とを備えていて、第２の発光素子からの光が第２の受光素子へ入射したときとその光が遮断されたときとで信号レベルを変化させる構成である。従って、図柄ベルトの地の部分（少なくとも光透過部の軌道域と重なる部分）は、第２の発光素子からの光を遮断するために不透明にしておくことで、図柄ベルトの回動に伴って光透過部が第２の発光素子と第２の受光素子との間を通過すると光透過部検出センサの信号レベルが変化する。すなわち、光透過部を検出する。
【００１０】
光透過部検出センサが光透過部を検出したときを基準にして（すなわち原点検出として）係合孔検出センサによって検出された係合孔の個数をカウントすれば、図柄ベルトが原点検出時からどれだけ回動したか、すなわちどの図柄がどの位置にあるかを判別できる。
【００１１】
このように、係合孔と光透過部とが図柄ベルトの同じ縁部に設けられ、他の縁部には穴を設ける必要がないから、その分だけ図柄のための領域の幅を広くできる。また、図柄ベルトに設けられる穴は係合孔（光透過部を開口としたときには、もう１個）だけであるから、穴の数が多くなるのを回避でき、図柄ベルトの強度の低下も、穴の周囲におけるベルトの変形の可能性が高まるのも回避できる。
【００１２】
ところで、光透過部が係合孔が配された帯状の領域内に設けられていると、光透過部検出センサは係合孔も検出してしまうという問題がある。
その場合は、請求項２記載のように、前記光透過部は前記帯状の領域内に設けられ、光透過部検出センサは、特定の１つの前記係合孔が前記係合孔検出センサによって検出されるときに前記光透過部を検出する位置に配されている構成とすればよい。つまり、係合孔検出センサ（特定の１つの係合孔）と光透過部検出センサ（光透過部）とが共に検出状態のときに、光透過部の検出とすればよい。
【００１３】
請求項３記載の図柄表示装置は、前記光透過部は透明なスポットであることを特徴とする請求項１又は２記載の図柄表示装置であるから、図柄ベルトに設けられる穴は係合孔だけになり、請求項１による効果が向上する。
【００１４】
請求項４記載の図柄表示装置は、前記光透過部は開口であることを特徴とする請求項１又は２記載の図柄表示装置であるから、汚れなどで光透過部が検出できなくなるおそれはない。
【発明を実施するための最良の形態】
【００１５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の図柄表示装置１は略直方体のケース２を備えている。
【００１６】
ケース２は上半部３と下半部４とからなり、これらを張出部３ａ、４ａにてビス止めすることで連結して箱状にしてある。そして、箱状のケース２の前面部には、図柄ベルト５を臨ませるための表示窓６が形成されている。
【００１７】
このケース２の内部には、図柄ベルト５を回転駆動するための駆動機構Ｍやプリント基板７等が収容されている。
図３〜５に示すように、駆動機構Ｍにおいて駆動源となるモータ８は、出力軸を下向きにした倒立状に配されている。モータ８には取付部材９が付属しており、取付部材９をケース２の下半部４に立設されたボスに固定することで下半部４に取り付けられている。
【００１８】
モータ８の出力軸の先端部は取付部材９の下側に達しており、出力ギヤ１１が取り付けられている。
また、取付部材９には下向きに突出するギヤ保持部１２が設けられており、ギヤ保持部１２にて中継ギヤ１３を回転自在に保持している。中継ギヤ１３は、小径ギヤ１３ａ（歯数が少ない）と大径ギヤ１３ｂ（小径ギヤ１３ａよりも歯数が多い）とで構成され、小径ギヤ１３ａが出力ギヤ１１と歯合している。
【００１９】
そして、大径ギヤ１３ｂは、プーリギヤ１４と歯合している。プーリギヤ１４は駆動プーリ１５と同心に連結されており、駆動プーリ１５と共回りする。
従って、モータ８を稼働させれば、出力ギヤ１１、中継ギヤ１３及びプーリギヤ１４を介して駆動プーリ１５を回転させることができる。
【００２０】
駆動プーリ１５の上下端には、図柄ベルト５を案内するためのフランジが設けられている。また、駆動プーリ１５の下端部（下のフランジ沿い）外面には、複数の突起１６が周方向に沿って等ピッチで配されている。
【００２１】
表示窓６を間において駆動プーリ１５とは反対側になる位置には、従動プーリ１７が配されている。従動プーリ１７は、回転の軸を駆動プーリ１５と平行にして配置されている。
【００２２】
また、表示窓６の背後になる位置には、回転の軸を駆動プーリ１５及び従動プーリ１７と平行にしたテンションプーリ１８が配されている。テンションプーリ１８を支持しているアーム１９は、バネ２１によって、図４における反時計回りに付勢されている。
【００２３】
これら駆動プーリ１５、従動プーリ１７及びテンションプーリ１８には図柄ベルト５が巻回されているが、テンションプーリ１８（アーム１９）がバネ２１によって付勢されているため、テンションプーリ１８は図柄ベルト５の内面を外向きに圧迫することになる。このテンションプーリ１８の圧迫によって、図柄ベルト５が展張状態に維持される。
【００２４】
また、図柄ベルト５には駆動プーリ１５の突起１６のピッチに対応して等間隔で配される複数の係合孔２２が全周に亘って設けられ、一部の係合孔２２を突起１６に係合させている。
【００２５】
上述の構成であるため、駆動プーリ１５を回転させた際には、モータ８を稼働させれば駆動プーリ１５が回転し、駆動プーリ１５によって図柄ベルト５が回転させられ、突起１６と係合孔２２とが順次係合・分離する。また、図柄ベルト５は、摩擦力によって従動プーリ１７及びテンションプーリ１８を回転させる。
【００２６】
図柄ベルト５には複数の図柄（図示は省略）が描かれているので、この回転に伴って表示窓６に表示される図柄が変化する（変動表示となる）。
また、いずれかの図柄が表示窓６内の表示位置（例えば表示窓６の中央部）に来たときにモータ８を停止させれば、表示窓６に表示される図柄が停止する（停止表示となる）。
【００２７】
表示窓６の背後には、光源となるＬＥＤ２３と反射板２４とを備える照明器２５が配されており、表示窓６に表示される図柄を背後から照明する。
プリント基板７には、モータ８やＬＥＤ２３に給電するための回路が設けられている他、図柄ベルト５の回転位置（各図柄の位置）を検出するためのセンサ２７、２８が取り付けられ、センサ２７、２８のための回路も設けられている。
【００２８】
センサ２７、２８の外形は凹字状をなしており、対をなす立ち上がり部の一方にＬＥＤ（発光素子）、他方にホトトランジスタ（受光素子）が対置され、ＬＥＤからの光がホトトランジスタへ入射したときとその光が遮断されたときとで出力信号のレベルを変化させる。
【００２９】
センサ２７、２８のＬＥＤ（発光素子）とホトトランジスタ（受光素子）との間に図柄ベルト５の下部が通されており、図柄ベルト５が上述のように回転するときは、図柄ベルト５の係合孔２２が配されている帯状の領域がＬＥＤ（発光素子）とホトトランジスタ（受光素子）との間を通過する。
【００３０】
図柄ベルト５の地の部分は、ＬＥＤ（発光素子）からホトトランジスタ（受光素子）へ向かう光を遮断するために不透明にしてあるので、係合孔２２がＬＥＤ（発光素子）とホトトランジスタ（受光素子）と間を通過するときにはホトトランジスタ（受光素子）に光が入射する。
【００３１】
但し、センサ２７、２８によって検出され得る位置（図柄ベルト５が回転するときに係合孔２２と同軌道となる位置）に、係合孔２２と同サイズの透明なスポットを設けて光透過部２９としてある。従って、光透過部２９がＬＥＤ（発光素子）とホトトランジスタ（受光素子）と間を通過するときにもホトトランジスタ（受光素子）に光が入射する。
【００３２】
光透過部２９は、その隣に位置する係合孔２２ａ（他と区別する意味で添え字ａを使用）がセンサ２７によって検出されると同時にセンサ２８によって検出される。このタイミング以外で両センサ２７、２８が同時に検出状態になることはない。
【００３３】
つまり、両センサ２７、２８が同時に検出状態になったときが光透過部２９の検出であり、センサ２８は光透過部検出センサに該当し、係合孔２２ａは特定の１つの係合孔に該当する。そして、センサ２７は係合孔検出センサに該当する。
【００３４】
従って、光透過部２９が上記のように検出されたときを原点検出とすれば、原点検出毎に図柄ベルト５が１回転したことを判別できる。また、原点検出を基準としてセンサ２７によって検出された係合孔２２の個数をカウントすれば、図柄ベルト５が原点検出時からどれだけ回動したか、すなわちどの図柄がどの位置にあるかを判別できる。
【００３５】
このように、係合孔２２と光透過部２９とが図柄ベルト５の同じ縁部に設けられ、他の縁部には穴を設ける必要がないから、その分だけ図柄のための領域の幅を広くできる。また、図柄ベルト５に設けられる穴は係合孔２２だけであるから、穴の数が多くなるのを回避でき、図柄ベルト５の強度の低下も、穴の周囲における図柄ベルト５の変形の可能性が高まるのも回避できる。
【００３６】
言うまでもないが、光透過部２９を係合孔２２と同様の開口にすることもできる。この場合、汚れなどで光透過部２９が検出できなくなるおそれはない。
また、光透過部２９（透明なスポットでも開口でも）を、図柄ベルト５が回転するときの係合孔２２の軌道から図柄ベルト５の幅方向にずれた位置に配置することもできる。この場合、センサ２７、２８の検出位置を図柄ベルト５の幅方向にずらせば（プリント基板７から検出位置までの距離を、センサ２８の方がセンサ２７よりも大きく又は小さくすれば）よい。
【００３７】
なお、原点（光透過部２９及び係合孔２２ａ）検出を基準としてセンサ２７によって検出された係合孔２２の個数をカウントする場合、図柄１つについて係合孔２２（係合孔２２ａも含まれる）を何個かで対応させておき、図柄が表示位置（例えば表示窓６の中央部）に来たときに、対応している係合孔２２の１つがセンサ２７によって検出されるように設定しておけば、図柄を正確に表示位置にて停止させることができる。
【００３８】
また、モータ８としてステッピングモータを使用すれば、原点（光透過部２９及び係合孔２２ａ）検出から起算したステッピングモータのステップ数にて各図柄の位置を演算できるから、このように構成しても図柄を正確に表示位置にて停止させることができる。この場合、ステップ数と係合孔２２のカウント数とを併用してもよいし、ステップ数のみで制御してもよい。
【図面の簡単な説明】
【００３９】
【図１】実施例の図柄表示装置の平面図（ａ）、正面図（ｂ）、側面図（ｃ）、背面図（ｄ）。
【図２】実施例の図柄表示装置の斜視図。
【図３】実施例の図柄表示装置の内部構造を説明するための斜視図。
【図４】実施例の図柄表示装置の内部構造を説明するための平面図。
【図５】実施例の図柄表示装置のＡ−Ａ断面図とＢ−Ｂ断面図。
【符号の説明】
【００４０】
１・・・図柄表示装置、
２・・・ケース、
６・・・表示窓、
７・・・プリント基板、
８・・・モータ、
９・・・取付部材、
１１・・・出力ギヤ、
１２・・・ギヤ保持部、
１３・・・中継ギヤ、
１３ａ・・・小径ギヤ、
１３ｂ・・・大径ギヤ、
１４・・・プーリギヤ、
１５・・・駆動プーリ、
１６・・・突起、
１７・・・従動プーリ、
１８・・・テンションプーリ、
１９・・・アーム、
２１・・・バネ、
２２・・・係合孔、
２２ａ・・・係合孔、
２４・・・反射板、
２５・・・照明器、
２７・・・センサ、
２８・・・センサ、
２９・・・光透過部、
Ｍ・・・駆動機構。
【図１】
2009028322.tif 000003
【図２】
2009028322.tif 000004
【図３】
2009028322.tif 000005
【図４】
2009028322.tif 000006
【図５】
2009028322.tif 000007